(57)【要約】【課題】隠しボタンを蓋で覆ってデザイン性を向上させつつ、蓋の開閉位置でクリック感が得られるようにして、蓋のスライド操作が確実に行える操作部およびそれを備えた空気清浄機を得ること。  【解決手段】隠しボタン１８を覆う蓋１６と、蓋１６をスライド可能に支持する支持機構とを有し、支持機構は、蓋１６のスライド方向に延在させたレール２０と、レール２０と嵌合して蓋１６をスライド方向に摺動させる溝部と、弾性部材によりレール２０に付勢されてレール２０を挟む一対の突起部と、レール２０の所定箇所に形成され、突起部が嵌まる凹部２０ａと、を備えている。【選択図】図３−１
2017112272.tif 000002
【特許請求の範囲】
【請求項１】
隠しボタンを覆う蓋と、
前記蓋をスライド可能に支持する支持機構とを有する操作部であって、
前記支持機構は、
前記蓋のスライド方向に延在させたレールと、
前記レールと嵌合して前記蓋をスライド方向に摺動させる溝部と、
弾性部材により前記レールに付勢されて前記レールを挟む一対の突起部と、
前記レールの所定箇所に形成され、前記突起部が嵌まる凹部と、
を備えていることを特徴とする操作部。
【請求項２】
前記蓋は、把手を有し、
前記把手は、前記蓋が前記レールと前記溝部とで支持された状態で、前記レールの延長線上に配置されていることを特徴とする請求項１に記載の操作部。
【請求項３】
前記突起部の先端部の角度と、前記レールに形成された凹部の開口角度とが鈍角で形成されていることを特徴とする請求項１または２に記載の操作部。
【請求項４】
請求項１〜３のいずれか一つに記載の操作部を備えたことを特徴とする空気清浄機。
【発明の詳細な説明】
【技術分野】
【０００１】
本発明は、操作部およびそれを備えた空気清浄機に関する。
【背景技術】
【０００２】
従来、デザイン性や操作性を向上させるために、操作部の一部をスイッチカバーで覆う空気清浄機が開示されている（特許文献１参照）。また、操作部の一部を覆うカバーをスライド式にしたプリンターの操作部が開示されている（特許文献２参照）。
【先行技術文献】
【特許文献】
【０００３】
【特許文献１】特開２００９−２１４０２６号公報
【特許文献２】特開平０６−２２２６２７号公報
【発明の概要】
【発明が解決しようとする課題】
【０００４】
上記特許文献１に記載された空気清浄機のスイッチカバーは、手動ボタンを透明または半透明なカバーで覆い、開閉可能としているため、操作部のデザイン性は向上するが、スイッチカバーの開閉時におけるクリック感などの操作性の改善については開示されていない。
【０００５】
また、上記特許文献２に記載された画像形成装置の操作部は、それを覆うカバーの一辺を軸支し、カバーを回動させて開閉動作を行ったり、また、カバーをスライド移動させる機構について開示されており、移動の途中に複数のクリック感を感じて停止させることができる箇所を設けたりすることもできると記載されているが、クリック感を生じさせる機構は開示されていない。
【０００６】
本発明は、上記に鑑みてなされたものであって、隠しボタンを蓋で覆ってデザイン性を向上させつつ、蓋の開閉位置でクリック感が得られるようにして操作性を向上させ、蓋のスライド操作が確実に行える操作部およびそれを備えた空気清浄機を得ることを目的とする。
【課題を解決するための手段】
【０００７】
上述した課題を解決し、目的を達成するために、本発明に係る操作部は、隠しボタンを覆う蓋と、前記蓋をスライド可能に支持する支持機構とを有する操作部であって、前記支持機構は、前記蓋のスライド方向に延在させたレールと、前記レールと嵌合して前記蓋をスライド方向に摺動させる溝部と、弾性部材により前記レールに付勢されて前記レールを挟む一対の突起部と、前記レールの所定箇所に形成され、前記突起部が嵌まる凹部と、を備えていることを特徴とする。
【０００８】
また、本発明に係る操作部の前記蓋は、把手を有し、前記把手は、前記蓋が前記レールと前記溝部とで支持された状態で、前記レールの延長線上に配置されていることを特徴とする。
【０００９】
また、本発明に係る操作部の前記突起部の先端部の角度と、前記レールに形成された凹部の開口角度とが鈍角で形成されていることを特徴とする。
【００１０】
本発明に係る空気清浄機は、前記操作部を備えたことを特徴とする。
【発明の効果】
【００１１】
本発明によれば、隠しボタンを蓋で覆って操作部のデザイン性を向上させつつ、蓋の開閉位置でクリック感が得られるようにして操作性を向上させ、蓋のスライド操作を確実に行うことができるという効果を奏する。
【図面の簡単な説明】
【００１２】
【図１−１】図１−１は、本実施例に係る空気清浄機の操作部の蓋を閉じた状態を示す斜視図である。
【図１−２】図１−２は、図１−１を上から見た平面図である。
【図２−１】図２−１は、本実施例に係る空気清浄機の操作部の蓋を開いた状態を示す斜視図である。
【図２−２】図２−２は、図２−１を上から見た平面図である。
【図３−１】図３−１は、図１−２の操作部を構成する操作ユニットの平面図である。
【図３−２】図３−２は、図３−１の斜視図である。
【図４】図４は、図３−２の蓋をスライドさせて隠しボタンを露出させた状態を示す斜視図である。
【図５−１】図５−１は、図３−１の蓋の裏側に装着されたピンと操作ユニット側のレールとがクリック位置で嵌合した状態を示す平面図である。
【図５−２】図５−２は、図５−１の操作ユニットの斜視図である。
【図６】図６は、操作ユニットのレール形状を図５−２と異なる角度から見た拡大斜視図である。
【図７−１】図７−１は、図６の操作ユニットの隠しボタンを露出させたり隠したりする蓋の斜視図である。
【図７−２】図７−２は、図７−１の蓋の裏側の斜視図である。
【図８−１】図８−１は、蓋の裏側にレールを挟んで対向配置されるピンの表側斜視図である。
【図８−２】図８−２は、蓋の裏側にレールを挟んで対向配置されるピンの裏側斜視図である。
【図９】図９は、操作ユニットのレールとレールを挟んで対向配置されるピンとの摺動位置関係を示す平面図である。
【発明を実施するための形態】
【００１３】
以下に、本発明に係る操作部およびそれを備えた空気清浄機の実施例を図面に基づいて詳細に説明する。なお、この実施例によりこの発明が限定されるものではない。
【実施例】
【００１４】
図１−１は、本実施例に係る空気清浄機の操作部の蓋を閉じた状態を示す斜視図であり、図１−２は、図１−１を上から見た平面図であり、図２−１は、本実施例に係る空気清浄機の操作部の蓋を開いた状態を示す斜視図であり、図２−２は、図２−１を上から見た平面図である。
【００１５】
［空気清浄機］
この空気清浄機１０は、室内に設置されて空気の清浄あるいは脱臭を行う装置である。この実施例では、空気清浄機１０の一例として加湿・脱臭機能を備えた装置を例にあげて説明する。
【００１６】
図１−１および図１−２に示す空気清浄機１０の内部には、加湿フィルタに水を供給して湿潤させ、室内の空気を加湿フィルタ内に通して加湿を行う加湿ユニットと、室内の空気を脱臭フィルタ内に通して脱臭を行う脱臭ユニットとが配置され、送風機により室内の空気を内部に吸い込み、脱臭ユニットと加湿ユニットとを順次通過させた後、浄化空気を吹き出すことにより、加湿機能と脱臭機能を同時に働かせることができる。
【００１７】
この空気清浄機１０は、通常使用される運転の開始と停止を行うＯＮ／ＯＦＦボタンの他、脱臭運転＋加湿運転モード、あるいは、脱臭運転のみモードを選択するモード選択ボタンなどが操作部１２の操作し易い位置に操作ボタン１４として配置されている。
【００１８】
また、この空気清浄機１０では、湿度の設定を行う湿度設定ボタン、あるいは、脱臭フィルタ内の触媒フィルタを加熱して臭気吸着機能を再生する加熱再生処理設定ボタンなど、使用頻度が少ないボタンについては、誤操作を防止するため、隠しボタンとしてスライド式の蓋１６によりカバーされている。
【００１９】
湿度設定を行う場合、あるいは、触媒フィルタの加熱再生処理の設定を行う場合は、蓋１６の把手１６ｄを持って奥へスライドさせると、図２−１および図２−２に示すように、蓋１６が開いて湿度設定ボタンや加熱再生処理設定ボタンなどの隠しボタン１８が露出し、設定を行うことが可能となる。
【００２０】
図３−１は、図１−２の操作部を構成する操作ユニットの平面図であり、図３−２は、図３−１の斜視図であり、図４は、図３−２の蓋をスライドさせて隠しボタンを露出させた状態を示す斜視図であり、図５−１は、図３−１の蓋の裏側に装着されたピンと操作ユニット側のレールとがクリック位置で嵌合した状態を示す平面図であり、図５−２は、図５−１の操作ユニットの斜視図であり、図６は、操作ユニットのレール形状を図５−２と異なる角度から見た拡大斜視図であり、図７−１は、図６の操作ユニットの隠しボタンを露出させたり隠したりする蓋の斜視図であり、図７−２は、図７−１の蓋の裏側の斜視図であり、図８−１は、蓋の裏側にレールを挟んで対向配置されるピンの表側斜視図であり、図８−２は、蓋の裏側にレールを挟んで対向配置されるピンの裏側斜視図であり、図９は、操作ユニットのレールとレールを挟んで対向配置されるピンとの摺動位置関係を示す平面図である。
【００２１】
［蓋の開閉機構（支持機構）］
次に、本実施例に係る空気清浄機１０の隠しボタン１８をカバーする蓋１６は、図３−１および図３−２に示すように、閉じた状態から蓋１６の把手１６ｄを持って矢印Ａ方向の奥側へスライドさせることで蓋１６を開くことができる。蓋１６が開いた状態では、図４に示すように、隠しボタン１８が露出するため、湿度設定や触媒フィルタの加熱再生処理の設定などの隠しボタン１８による操作を行うことができる。設定処理後は、図４に示す蓋１６の把手１６ｄを持って矢印Ａ方向の手前側にスライドさせることで蓋１６を閉じることができる。蓋１６が閉じた状態では、図３−１および図３−２に示すように、隠しボタン１８が蓋１６によりカバーされるため、誤操作を防ぐと共に、操作部１２のデザイン性を向上させることができる。
【００２２】
本実施例に係る蓋１６の開閉機構は、図５−１および図５−２に示すように、操作ユニット１３の隠しボタン１８の奥中央の矢印Ａ方向(蓋１６のスライド方向）にレール２０が形成されている。このレール２０は、図６に示すように、途中の２カ所でレール幅を部分的に細くした凹部２０ａ，２０ｂが形成されている。この凹部２０ａ，２０ｂは、蓋１６を開閉する際に、蓋１６が閉じた位置と開いた位置に対応しており、蓋１６を開いたときと閉じるときとでクリック感を出すことにより、蓋１６のスライド操作を確実に行えるようにしたものである。
【００２３】
一方、隠しボタン１８を覆う蓋１６の裏面側は、図７−２に示すように、図６のレール２０の位置に対応して、蓋１６の中央部にスライド方向に延びる溝部１６ａが設けられている。そして、この溝部１６ａの途中には、図８−１および図８−２に示すように、先端部２２ｃが角度θに形成された一対の突起部としてのピン２２ａ，２２ｂが蓋１６の溝部１６ａを挟んで対向配置するためのピン格納部１６ｂ，１６ｃが形成されている（図７−２参照）。ピン格納部１６ｂは、背板１６ｂ１と、その両側を側板１６ｂ２，１６ｂ３で囲って形成され、内側に突き出た棒状のスプリング固定部１６ｂ４とピン２２ｂの後端部２２ｅとの間にコイルスプリング２３ｂを渡すことで（図９参照）、ピン２２ｂを溝部１６ａ方向に付勢している。また、ピン格納部１６ｃも同様に、背板１６ｃ１と、その両側を測板１６ｃ２，１６ｃ３で囲って形成され、内側に突き出た棒状のスプリング固定部１６ｃ４とピン２２ａの後端部２２ｅとの間にコイルスプリング２３ｂを渡すことで（図９参照）、ピン２２ａを溝部１６ａ方向に付勢している。さらに、測板１６ｂ２，１６ｂ３，１６ｃ２，１６ｃ３には、それぞれ２カ所ずつ突起部１６ｅが形成されており、ピン２２ａ，２２ｂの背板２２ｄをピン格納部１６ｂ，１６ｃ内に嵌め込むことで、図９に示すスライド方向（矢印Ａ方向）と直交する方向（矢印Ｂ方向）に摺動可能に格納することができる。
【００２４】
このように、蓋１６の裏面側に対向配置されたピン２２ａ，２２ｂは、図９に示すように、弾性部材としてのコイルスプリング２３ａによりレール２０を挟んで向かい合った状態で付勢される。このため、レール２０に対して蓋１６の溝部１６ａを嵌合させた状態で奥（図９の上方）へスライドさせていくと、蓋１６の裏面側に配置された２つのピン２２ａ，２２ｂの間にレール２０が入り込み、レール２０の側面がピン２２ａ，２２ｂによって挟み込まれる。この状態で矢印Ａ方向へ蓋１６をスライドさせていくと、図９に示すように、凹部２０ｂにピン２２ａ，２２ｂが嵌まって蓋１６の動きが止まる（これがクリック感となる）。この時の蓋１６の位置は、図３−１および図３−２に示す閉位置に相当する。
【００２５】
また、レール２０に対して蓋１６をさらに奥（図９の上方）へ押すと、ピン２２ａ，２２ｂの先端部２２ｃがレール２０の凹部２０ｂから脱して蓋１６をさらに奥へとスライドさせ、図９に示すピン２２ａ，２２ｂの先端部２２ｃが次の凹部２０ａに嵌まって蓋１６の動きが止まる（これがクリック感となる）。この時の蓋１６の位置は、図４に示す開位置に相当する。
【００２６】
このように、本実施例に係る操作部は、図３−２に示すように、蓋１６をスライドさせる際に持つ把手１６ａの動線上である中央付近にレール２０を配置することで、スライド中に蓋１６が斜行することが無くなり、スライドによる開閉動作をスムーズに行うことができる。また、本実施例に係る操作部は、蓋１６側に設けられた一対のピン２２ａ，２２ｂが中央に配置されたレール２０を常に挟み、蓋１６が仮に斜行したとしても付勢力によって元の位置に戻ろうとする復元力が働くため、斜行を改善することができる。
【００２７】
また、本実施例に係る操作部は、レール２０と嵌合する溝部１６ａが蓋１６の裏面側に形成されている（図７−２参照）。このため、レール２０に蓋１６の溝部１６ａを嵌めることで、レール２０に沿って蓋１６をスライドさせることが可能となる。なお、上記実施例とは逆にレール２０を蓋１６側に形成し、溝部１６ａとピン２２ａ，２２ｂなどを操作ユニット１３側に形成しても良く、同様の効果を得ることができる。
【００２８】
また、本実施例の蓋１６の裏面側に形成された溝部１６ａの途中には、図７−２に示すように、ピン格納部１６ｂ，１６ｃが形成され、ここに図８−１および図８−２に示すピン２２ａ，２２ｂの先端部２２ｃが溝部１６ａを挟んで対向するように嵌め込まれる。ピン２２ａ，２２ｂの後端部２２ｅとスプリング固定部１６ｂ４,１６ｃ４には、図９に示すように、弾性支持部材であるコイルスプリング２３ａを装着することで、ピン２２ａ，２２ｂがそれぞれ図９の矢印Ｂ方向に付勢される。つまり、ピン２２ａ，２２ｂは、ピン格納部１６ｂ，１６ｃ内に格納された状態で、スライド方向（矢印Ａ方向）に対し直交方向に摺動することができる。これにより、レール２０に蓋１６の溝部１６ａが嵌まり、レール２０の両側面がピン２２ａ，２２ｂの先端部２２ｃで挟まれた状態で蓋１６をスライドさせると、レール２０の途中に形成された凹部２０ａ、２０ｂにピン２２ａ，２２ｂの先端部２２ｃが嵌まる度にクリック感を出すことができる。
【００２９】
なお、レール２０に形成される凹部２０ａ，２０ｂとピン２２ａ，２２ｂの先端部２２ｃそれぞれの角度θは、図８−１，図８−２および図９に示すように、同じ角度に形成されており、９０°＜θ＜１８０°の鈍角であることが望ましい。これは、蓋１６をスライドさせてピン２２ａ，２２ｂの先端部２２ｃが凹部２０ａ、２０ｂに嵌まり、そこから抜け出す際にθが鋭角（０°＜θ＜９０）だと離脱抵抗が大きくなるため、良好なクリック感が得られ難くなるからである。ここでは、θ＝１２０°としているが必ずしもこれに限定されない。また、レールとピンの素材としては、一例としてレール２０にＰＳ樹脂（ポリスチレン）を用い、ピン２２ａ，２２ｂにＰＯＭ樹脂（ポリアセタール）を用いたが、これに限定されない。
【産業上の利用可能性】
【００３０】
以上のように、本発明に係る操作部およびそれを備えた空気清浄機は、隠しボタンを蓋で覆って操作部のデザイン性を向上させつつ、蓋の開閉時にクリック感が得られ操作性が向上するようにすることで、蓋のスライド操作が確実に行える操作部およびそれを備えた空気清浄機として有用である。
【符号の説明】
【００３１】
１０  空気清浄機
１２  操作部
１３  操作ユニット
１４  操作ボタン
１６  蓋
１６ａ  溝部
１６ｂ  ピン格納部
１６ｂ１  背板
１６ｂ２，１６ｂ３  測板
１６ｂ４  スプリング固定部
１６ｃ  ピン格納部
１６ｃ１  背板
１６ｃ２，１６ｃ３  測板
１６ｃ４  スプリング固定部
１６ｄ  把手
１６ｅ  突起部
１８  隠しボタン
２０  レール
２０ａ、２０ｂ  凹部
２２ａ，２２ｂ  ピン
２２ｃ  先端部
２２ｄ  背板
２２ｅ  後端部
２３ａ，２３ｂ  コイルスプリング（弾性部材）
【図１−１】
2017112272.tif 000003
【図１−２】
2017112272.tif 000004
【図２−１】
2017112272.tif 000005
【図２−２】
2017112272.tif 000006
【図３−１】
2017112272.tif 000007
【図３−２】
2017112272.tif 000008
【図４】
2017112272.tif 000009
【図５−１】
2017112272.tif 000010
【図５−２】
2017112272.tif 000011
【図６】
2017112272.tif 000012
【図７−１】
2017112272.tif 000013
【図７−２】
2017112272.tif 000014
【図８−１】
2017112272.tif 000015
【図８−２】
2017112272.tif 000016
【図９】
2017112272.tif 000017